(57)【要約】【課題】窓開口部の上側に通気用の開閉体を設け、下側を固定窓とした従来の窓装置における上記不具合を解決する。【解決手段】上側に位置する第１開閉体６は、窓開口部の竪枠２に沿って上下動可能に設けた連結桿６３Ａが第１の高さ位置と第２の高さ位置との間で上下動することに連動して開閉する。連結桿６３Ａの下端側は、下側に位置する第２開閉体７に対応する位置まで延出している。第２開閉体７は、連結桿６３Ａが第１の高さ位置から第２の高さ位置にある間は、開放操作が規制されており、連結桿６３Ａが第３の高さ位置まで移動した時に開放可能となる。【選択図】図５
2010144436.tif 000002
【特許請求の範囲】
【請求項１】
窓開口部の高さ方向に複数段に設けた少なくとも２つの開閉体を備え、
第１開閉体は、窓開口部の少なくとも一方の竪枠に沿って上下動可能に設けた連結桿が第１の高さ位置と第２の高さ位置との間で上下動することに連動して開閉するように構成されており、
少なくとも1本の連結桿は、第１開閉体を越えて当該第１開閉体の上側あるいは下側に位置する第２開閉体に対応する位置まで延出しており、
前記第２開閉体は、前記連結桿が第１の高さ位置から第２の高さ位置にある間は、前記第２開閉体と前記連結桿とが係止状態にあって開放操作が規制されており、前記連結桿が第１の高さ位置と第２の高さ位置の間とは異なる第３の高さ位置まで移動した時に前記第２開閉体と前記連結桿との係止状態が解除され、
通常時には、移動規制手段によって、前記連結桿の第３の高さ位置への移動が規制されており、前記連結桿が第１の高さ位置と第２の高さ位置との間で上下動することで前記第１開閉体が開閉し、
前記移動規制手段を解除して、前記連結桿を第３の高さ位置に移動させることで、前記第２開閉体と前記連結桿との係止状態が解除されて、前記第２開閉体の開放が可能となる、
窓装置。
【請求項２】
前記連結桿と前記第２開閉体のいずれか一方には係止突起、他方には係止突起を受け入れて上下に案内する係止溝が設けてあり、
前記連結桿が第１の高さ位置と第２の高さ位置との間で上下動する時には、前記係止突起が前記係止溝内に位置する係止状態にあり、
前記連結桿が第３の高さ位置に移動することで前記係止状態が解除される、
請求項１に記載の窓装置。
【請求項３】
前記移動規制手段は、前記連結桿に設けたストッパと、室内側からの操作で出没可能なストッパ受けと、からなる、請求項１、２いずれかに記載の窓装置。
【請求項４】
前記竪枠の第２開閉体に対応する下方部位の室内側には操作部が設けてあり、前記操作部と前記連結桿の第２開閉体に対応する下方部位とを伝動連結することで、前記操作部によって前記連結桿を上下動させる、請求項１乃至３いずれかに記載の窓装置。
【発明の詳細な説明】
【技術分野】
【０００１】
本発明は、高さ方向に複数段に設けた少なくとも２つの開閉体を備えた窓装置に係り、詳しくは、上側に位置する開閉体は、窓開口部の少なくとも一方の竪枠に沿って上下動可能に設けた連結桿の上下動に連動して開閉するように構成されており、下側に位置する開閉体は、通常時には開放されない固定窓として使用されるような窓装置に関するものである。
【背景技術】
【０００２】
戸建住宅、オフィスビルやマンション等において、窓開口部の上側に横すべり出し窓（オーニング窓）やルーバー窓等の開閉体を設置し、下側に透明ないし半透明のガラスを嵌めた固定窓を設ける場合がある。上側の開閉体は、主として室内外の通気に用いられる。このような窓開口部の下端は床面近くまで達している場合も多く、安全面等の理由から下側の窓部には固定窓が採用される。
【０００３】
上側に設置される横すべり出し窓においては、窓の竪枠の横すべり出し窓に対応する部位に操作部を設置し、滑車等の駆動部品をチェーンやロープで開閉操作を行なうが、高所に滑車等を内装する突起物を設けることになって意匠上の美観を損ねていた。また、チェーンやロープ等が垂れ下がるためサッシの正面に物を置けなくなる等の配置上の制限もあった。
【０００４】
また、このような窓開口部において、上側の横すべり出し窓やルーバー窓の清掃を行なう場合において、清掃時には、窓障子を室外側に開放させた状態で行なう必要があり、また、上側の開閉体は高所に位置することから、室内側からの清掃が非常にやり難いものとなっていた。また、室内側から上側の障子の外面及び下側の固定窓の外面を清掃することはできない。このような窓開口部が、特に、オフィスビルやマンション等の高層階に設置されているような場合には、室外側から清掃することは非常に困難である。
【０００５】
特許文献１には、上側にルーバー窓を設置し、下側に固定板を設けた窓装置が開示されており、操作ハンドルを窓枠の下側に設けることで、ルーバー片の開閉操作を容易としている。しかしながら、特許文献１には、上側に設置したルーバー窓の清掃を容易に行うという着眼は全く存在しない。
【特許文献１】特開平９−７８９５６
【発明の開示】
【発明が解決しようとする課題】
【０００６】
本発明は、窓開口部の上側に通気用の開閉体を設け、下側を固定窓とした従来の窓装置における上記不具合を解決することを目的とする。
【課題を解決するための手段】
【０００７】
本発明が採用した技術手段は、
窓開口部の高さ方向に複数段に設けた少なくとも２つの開閉体を備え、
第１開閉体は、窓開口部の少なくとも一方の竪枠に沿って上下動可能に設けた連結桿が第１の高さ位置と第２の高さ位置との間で上下動することに連動して開閉するように構成されており、
少なくとも1本の連結桿は、第１開閉体を越えて当該第１開閉体の上側あるいは下側に位置する第２開閉体に対応する位置まで延出しており、
前記第２開閉体は、前記連結桿が第１の高さ位置から第２の高さ位置にある間は、前記第２開閉体と前記連結桿とが係止状態にあって開放操作が規制されており、前記連結桿が第１の高さ位置から第２の高さ位置の間とは異なる第３の高さ位置まで移動した時に前記第２開閉体と前記連結桿との係止状態が解除され、
通常時には、移動規制手段によって、前記連結桿の第３の高さ位置への移動が規制されており、前記連結桿が第１の高さ位置と第２の高さ位置との間で上下動することで前記第１開閉体が開閉し、
前記移動規制手段を解除して、前記連結桿を第３の高さ位置に移動させることで、前記第２開閉体と前記連結桿との係止状態が解除されて、前記第２開閉体の開放が可能となる、窓装置、である。
後述する図示の態様では、第１開閉体は、第２開閉体に対して上側に位置しており、少なくとも1本の連結桿の下端側は、第１開閉体の下端を越えて下側に位置する第２開閉体に対応する位置まで延出しているが、第２開閉体が、第１開閉体に対して上側に位置する態様でもよい。後者の場合、連結桿の上端側は、第１開閉体の上端を越えて上側に位置する第２開閉体に対応する位置まで延出し、当該延出部位に後述する係止手段が設けられる。
後述する図示の態様では、１つの態様では、第１の高さ位置、第２の高さ位置、第３の高さ位置の関係は、第１の高さ位置が最も高く、その次に第２の高さ位置が高く、第３の高さ位置が最も低いが、これらの高さ位置の関係はこれには限定されない。例えば、第１開閉体の上側が回動するような場合には、第３の高さ位置が最も高く、その次に第２の高さ位置が高く、第１の高さ位置が最も低い態様もあり得る。
【０００８】
より具体的な態様では、前記第２開閉体と前記連結桿との係止状態を構成する係止手段は、前記第２開閉体に設けた第１係止部材と前記連結桿に設けた第２係止部材とからなり、第１係止部材と第２係止部材とが係止状態にある時には、第１係止部材に対して第２係止部材が第１の高さ位置と第２の高さ位置との間で上下方向の移動を許容しつつも、扉体の開放方向の移動が規制され、連結桿が第３の高さ位置まで移動すると第１係止部材と第２係止部材の係止状態が解除される。
１つの態様では、前記係止手段（第１係止部材、第２係止部材）は、係止突起と係止溝からなり、すなわち、前記連結桿と前記第２開閉体のいずれか一方には係止突起、他方には係止突起を受け入れて上下に案内する係止溝が設けてあり、
前記連結桿が第１の高さ位置と第２の高さ位置との間で上下動する時には、前記係止突起が前記係止溝内に位置する係止状態にあり、
前記連結桿が第３の高さ位置に移動することで前記係止状態が解除される。
また、前記係止手段（第１係止部材、第２係止部材）を共に、高さ方向に延出する係止片から構成して、連結桿の係止片を第２開閉体の連結片よりも開放方向側に位置させて両係止片を接触ないし近接させ、両係止片が重なり合っている場合には係止状態が維持され、連結桿が第３の高さ位置まで移動すると両係止片の重なりがなくなって係止状態が解除されるようにしてもよい。
【０００９】
１つの態様では、前記移動規制手段は、前記連結桿に設けたストッパと、室内側からの操作で出没可能なストッパ受けと、からなる。
また、移動規制手段は、連結桿がある高さ位置から下方あるいは上方に移動することを規制することができ、かつ、移動規制状態と規制解除状態との間で切り替えが可能である手段であればよく、このような手段はストッパとストッパ受けの組み合わせに限定されないことが当業者に理解される。
【００１０】
１つの態様では、前記竪枠の第２開閉体に対応する下方部位の室内側には操作部が設けてあり、前記操作部と前記連結桿の第２開閉体に対応する下方部位とを伝動連結することで、前記操作部によって前記連結桿を上下動させる。こうすることで、高所に操作部を設ける必要が無くなるので、高所に操作部を内装する突起物が無くなって意匠性が良好であり、また、第１開閉体の開閉操作を手元で容易に行うことができる。
尚、１本の連結桿を用いて係止手段、移動規制手段、操作部を構成するのではなく、左右の連結桿を共に下方に延出し、係止手段、移動規制手段、操作部を左右の連結桿に分散させて設けてもよい。
【００１１】
１つの態様では、前記第１開閉体は、前記連結桿が第１の高さ位置にある時に閉鎖状態、前記連結桿が第２の高さ位置にある時に開放状態にあり、前記連結桿が第２の高さ位置から第１の高さ位置とは反対方向に移動することで第３の高さ位置となる。
１つの態様では、第１の高さ位置は上側、第２の高さ位置は下側に位置している。また、この態様において、第３の高さ位置は第２の高さ位置よりもさらに下側に位置している。
【００１２】
窓開口部の少なくとも一方の竪枠に沿って上下動可能に設けた連結桿の上下動に連動して開閉するように構成されている開閉体としては、いわゆる横すべり出し窓（特開２００４−２９３０８５、特開２００７−６３８２４）やルーバー窓（特許文献１）が当業者によく知られている。
したがって、典型的な態様では、第１開閉体は、１つあるいは複数の障子を備えた横すべり出し窓、あるいは、複数のルーバー片を備えたルーバーである。
尚、第１開閉体は横すべり出し窓、ルーバー窓に限定されるものではなく、例えば、連結桿の上下動に連動して、障子の下側を回動支点として上側が回動するものでもよい。
第２開閉体の種類は限定されないが、例えば、一方の竪框を戸尻側として回動する障子、上框あるいは下框を戸尻側として回動する障子、幅方向の中途部位に設けた鉛直軸を回動支点として回動する障子、高さ方向の中途部位に設けた水平軸を回動支点として回動する障子が例示される。また、第２開閉体の開閉の態様によって、前記係止手段や前記移動規制手段の態様に適宜変更がなされ得ることは当業者に理解される。
【００１３】
１つの典型的な態様では、窓装置は上下２段の開閉体を有するが、窓開口部の高さ方向に３段の開閉体が設けてあり、上段が第１開閉体、中段が第２開閉体としてもよい。あるいは、中段が第１開閉体、下段が第２開閉体、あるいは、上段が第１開閉体、下段が第２開閉体であってもよい。また、第１開閉体と第２開閉体とは相対的に上下関係にあればよく、必ずしも第１開閉体と第２開閉体とが上下に隣接している必要はなく、第１開閉体と第２開閉体との間に固定窓等（例えば、中段を固定窓とする）があってもよい。
【発明の効果】
【００１４】
本発明では、上側の第１開閉体を開閉操作するための連結桿の高さ位置に基づいて、第２開閉体を固定状態と開放可能状態とに切り替えることができる。したがって、通常の使用時では、第２開閉体を固定状態とし、窓部の清掃時等には、第２開閉体を開放させることで、第１開閉体および／あるいは第２開閉体の清掃の作業性を向上させることができる。
また、第２開閉体を開放姿勢とした後は、連結桿を移動させて第１開閉体のみを全閉状態に復帰させることができるため、第１開閉体の室外側面部の清掃を良好に行なうことができる。
【００１５】
本発明では、本来的に上側の第１開閉体を開閉操作するための連結桿を用いて第２開閉体の固定・開放を切り替えるものであるので、従来のこの種の窓装置に対して、連結桿を第２開閉体に対応するように下方に延出させるのみで、部品点数を殊更増加させることなく、本発明の窓装置を構成することができる。
また、連結桿を下方に延出させることによって、高所にある第１開閉体の操作部を、第１開閉体に対応する部位ではなく、操作し易いより下方の位置に設けることができ、また、高所に操作部を設置する必要がないので意匠性にも優れる。
【発明を実施するための最良の形態】
【００１６】
本発明の実施形態を図面に基づいて詳細に説明する。図１は、窓装置の外観姿図、内観姿図を示しており、窓装置は、上枠１と、左右の竪枠２、３と、下枠４と、からなる窓枠を備えており、窓枠の高さ方向の中途部位には、開口幅方向に延出する段窓無目５が設けてある。窓開口部には、段窓無目５の上側に位置して第１障子６が設けてあり、段窓無目５の下側に位置して第２障子７が設けてある。図示の態様では、第１障子６は、横すべり出し窓の障子であり、第２障子７は、通常時には固定されており、清掃時等にのみ開放可能な可動障子である。
【００１７】
図１に示す窓装置は、窓開口部の高さ方向に上下２段に設けた２つの開閉体６、７を有しているが、例えば図１Ａに示すように、窓開口部の高さ方向に上下３段に設けた３つの開閉体６、７、６´を備えた窓装置にも本発明は適用される。図１Ａに示す窓装置は、上枠１と、左右の竪枠２、３と、下枠４と、からなる窓枠を備えており、窓枠の高さ方向の中途部位には、開口幅方向に延出する段窓無目５、５´が高さ方向に間隔を存して設けてある。窓開口部には、段窓無目５の上側に位置して第１障子６が設けてあり、段窓無目５の下側かつ段窓無目５´の上側に位置して第２障子７が設けてあり、段窓無目５´の下側に位置して第３障子６´が設けてある。第１障子６および第３障子６´は、横すべり出し窓の障子であり、第２障子７は、通常時には固定されており、清掃時等にのみ開放可能な可動障子である。
【００１８】
第１障子６を備えた横すべり出し窓の構成について図２乃至図４に基づいて説明する。第１障子６は、下端側が室外側へ突出するようにアーム６０を介して回動自在に窓枠に設けられ、かつ、上端側の回動支軸６１が上下方向にスライド自在にガイド溝６２に支持されている。アーム６０の一端はブラケット６００を介して竪枠２、３に回動自在に連結されており、アーム６０の他端は第１障子６の側部に回動自在に連結されている。窓枠の竪枠２、３には、連結桿６３Ａ、６３Ｂが竪枠２、３に沿って上下方向に移動自在に設けてある。連結桿６３Ａ、６３Ｂの上端には第１障子６の回動支軸６１に係合するガイド板６１０が設けてあり、連結桿６３Ａ、６３Ｂの上下動により、ガイド板６１０によって第１障子６の回動支軸６１がガイド溝６２に沿って上下方向にスライドしながら、第１障子６が回動する。
【００１９】
連結桿６３Ａ、６３Ｂには、連結桿６３Ａ、６３Ｂを上下動可能に支持する支持機構が連結されている。支持機構は、左右の連結桿６３Ａ、６３Ａのそれぞれに上端部が回動自在に連結されたリンク６４と、リンク６４の下端部に上端部が回動自在に連結され、下端部が回動支点となる回動アーム６５と、からなる屈伸機構である。左右の支持機構は、左右の回動アーム６５の下端部の回動支点同士を連結する回動軸６６によって連動連結されている。
【００２０】
一方の連結桿６３Ａは、竪枠２の全高に沿って延出している。すなわち、連結桿６３Ａの下方側は、段窓無目５を越えて第２障子７に沿って下枠４に近接するまで延出している。図示の態様では、他方の連結桿６３Ｂの下端は段窓無目５を越えてさらに下方には延出していないが、一方の連結桿６３Ａと同様に、段窓無目５を越えてさらに下方に延出するものでもよい。
【００２１】
連結桿６３Ａの下方部位には、連結桿６３Ａを上下動させる作動機構が設けてある。作動機構は、竪枠２の室内側に設けられた操作部Ｓとしてのハンドル６７と、ハンドル６７の回転操作に連動して上下動するオペレータアーム６８と、一端が連結桿６３Ａに回動自在に連結され、他端がオペレータアーム６８に回動自在に連結されている連結板６９と、からなり、オペレータアーム６８の上下回動に連動して連結板６９を介して連結桿６３Ａが上下動するようになっている。
【００２２】
従来の作動機構は、支持機構のリンク６４に操作部を連結し、滑車等の駆動部品をチェーンやロープで開閉操作を行なっており、高所に滑車等を内装する突起物を設けることになって意匠上の美観を損ねていた。これに対して、本実施形態では、連結桿６３Ａを横すべり出し窓の第１障子６に対応する部位からさらに下方の第２障子７に対応する部位まで延出し、この延出部に作動機構を伝動連結することで、高所にある第１障子６の開閉操作を操作し易い高さに設けたハンドル６７によって手元でできると共に、窓部の上方の突起物を無くすことができる。
【００２３】
第１障子６の開閉動作について説明する。図３は横すべり出し窓の全閉状態を示し、第１障子６が閉鎖姿勢にあり、この状態から、ハンドル６７を第１の方向に回転させると、オペレータアーム６８が下方に回動して連結板６９を下方に移動させ、連結板６９が下方に移動することで、連結板６９に連結されていれる一方の連結桿６３Ａがリンク６４と回動アーム６５を屈曲させながら下方に移動する。回動アーム６５が下方に回動することで、回動軸６６の回転が他方の連結桿６３Ｂの回動アーム６５及びリンク６４に伝達され、他方の連結桿６３Ｂも同時に下動する。連結桿６３Ａ、６３Ｂが下方に移動すると、第１障子６の回動支軸６１がガイド溝６２に案内されて下方にスライドしながら、アーム６０の上端が室外側に回動し、第１障子６は、垂直姿勢の全閉位置から上端側が降下しながら下端側が室外側にすべり出すように回動して、図４に示すような傾斜姿勢の全開位置となる。
【００２４】
図３に示す全閉状態では、連結桿６３Ａの高さ位置は第１の高さ位置（上端がＴ１、下端がＢ１）にある。図４に示す全開状態では、連結桿６３Ａの高さ位置は、第１の高さ位置よりも下側の第２の高さ位置（上端がＴ２、下端がＢ２）にある。通常の使用時には、ハンドル６７の回転操作によって、連結桿６３Ａは第１高さ位置（上端がＴ１、下端がＢ１）と第２高さ位置（上端がＴ２、下端がＢ２）との間で上下動するようになっている。
【００２５】
連結桿６３Ａは、通常時には、第２高さ位置（上端がＴ２、下端がＢ２）よりさらに下方への移動が規制されている。また、連結桿６３Ａが第１高さ位置（上端がＴ１、下端がＢ１）と第２高さ位置（上端がＴ２、下端がＢ２）との間にある時には、第２障子７の開放が規制されている。以下に、これらの具体的な構成について説明する。
【００２６】
連結桿６３Ａの高さ方向の所定部位にはストッパ８が設けてある。一方、竪枠２の室内側には高さ方向の所定部位に位置してストッパ受け９が出没可能に設けてある。ストッパ受け９は室内側に位置する操作つまみ１０の操作によって出没するようになっている。つまみ操作によってある部材を出没させる手段は当業者に周知であるので、詳細な説明は省略する。図７、図９下図から明らかなように、突出したストッパ受け９は、ストッパ８の降下経路の下方に位置しており、ストッパ８が突出したストッパ受け９に当接することで、連結桿６３Ａの下方への移動が規制される。
【００２７】
ストッパ８とストッパ受け９の高さ位置の関係を、連結桿６３Ａが第２の高さ位置（上端がＴ２、下端がＢ２）にある時に、ストッパ８がストッパ受け９に当接するように設定することで、連結桿６３Ａは、第２高さ位置（上端がＴ２、下端がＢ２）よりさらに下方への移動が規制される。室内側からの操作つまみ１０による操作でストッパ受け９を引っ込めることで、連結桿６３Ａのさらなる下方への移動が許容され、連結桿６３Ａは、ハンドル６７の操作によって第３の高さ位置（上端がＴ３、下端がＢ３）まで下動することができる。
【００２８】
図６乃至図８、図９上図に示すように、連結桿６３Ａにおいて、下側の第２障子７に対応する部位には、第２障子７の戸先側端面７０の上下部位に対応して係止ピン１１が開口幅方向に突設されている。より具体的には、連結桿６３Ａには、係止ピン１１を支持する支持部材１１Ａが取り付けてあり、支持部材１１Ａの先端側は第２障子７の戸先側端面７０に対向するように持ち出し状となっており、この持ち出し状の先端部１１Ａ´に係止ピン１１が戸先側端面７０に向かって開口幅方向に突出するように装着されている。
【００２９】
一方、第２障子７の戸先側端面７０には、係止ピン１１の受け部材１２が設けてあり、受け部材１２にはそれぞれの係止ピン１１の移動範囲（連結桿６３Ａが第１高さ位置と第２高さ位置とで移動する範囲）に対応する長さを備えた係止溝１３が形成されている。係止ピン１１の頭部１１０の径は係止溝１３の幅寸法よりも大きく、係止ピン１１の軸部１１１の径は係止溝１３の幅寸法よりも小さい。すなわち、連結桿６３Ａが第１高さ位置（上端がＴ１、下端がＢ１）にある時には、係止ピン１１は係止溝１３の上端部位に位置しており、連結桿６３Ａが第２高さ位置（上端がＴ２、下端がＢ２）にある時には、係止ピン１１は係止溝１３の下端部位に位置している。図９上図から明らかなように、係止ピン１１が係止溝１３内に位置する時には、第２障子７と連結桿６３Ａとは係止状態にあり、第２障子７の戸先側の回動が規制されており、したがって、第２障子７の開放が規制されている。
【００３０】
係止溝１３の下端側は係止ピン１１の頭部１１０の径よりも大きい開口１３０となっており、連結桿６３Ａが第３の高さ位置（上端がＴ３、下端がＢ３）まで下動すると、係止ピン１１は係止溝１３から外れて、係止状態が解除される。
【００３１】
図１０に示すように、図示の態様例では、第２障子７は、竪枠２側を戸先側とした開き戸である。第２障子７の戸尻側は回動可能な支持アーム７１、７２を介して窓枠側に支持されており、係止状態が解除された後で、手動で第２障子７の戸先側を室外へ押し出すことで第２障子７は室外側へ略９０度回動して開放姿勢となる。開放姿勢において、第２障子７の戸尻側は戸尻側竪枠３から離間しており、窓開口部に対して略垂直姿勢にある第２障子７と戸尻側竪枠３との間にスペースが形成されている。第２障子７の室外側面部の清掃を考慮すると、図１０に示すように、戸尻側竪枠と開放姿勢にある第２障子７の戸尻側との間にスペースが確保されることが望ましい。開き戸としての第２障子７の戸尻側の支持構成については適宜他の構成が採用し得ることが当業者に理解される。
【００３２】
第２障子７を開放した後で、ハンドル６７の操作で連結桿６３Ａを上動させることで、第１障子６のみを全閉状態とすることができる。したがって、第１障子６の室外側面部の清掃を行いたい場合には、第２障子７を開放した後で、全開状態にある第１障子６を全閉状態として、窓開口部の下側の開口から手を出して第１障子６の室外側面部を清掃することができる。
【００３３】
本明細書では、図１の窓装置に基づいて第１障子６と第２障子７の構成および動作について説明したが、上記の説明は、図１Ａの窓装置の説明として援用することができる。また、第３障子６´は第１障子６と同様の機構で開閉される。図１Ａの窓装置では、連結桿（図示せず）は第３障子６´に対応する高さまで延出しており、窓装置の室内側の高さ方向の中途部位に設けた操作部Ｓが連結桿に伝動連結されており、操作部Ｓの操作によって第１障子６、第３障子６´が開閉される。
【産業上の利用可能性】
【００３４】
本発明は、窓開口部の上側に通気用の開閉体を設け、通常時には下側を固定窓とした窓装置として利用することができる。
【図面の簡単な説明】
【００３５】
【図１】本発明の実施形態に係る窓装置の外観姿図（左）、内観姿図（右）を示している。
【図１Ａ】本発明の他の実施形態に係る窓装置の外観姿図（左）、内観姿図（右）を示している。
【図２】図１の窓装置の横断面図であり、上図は上側の開閉体の部分、下図は下側の開閉体の部分の断面図である。
【図３】図１の窓装置の縦断面図であり、上側の開閉体が全閉状態（下側の開閉体は固定状態）にある場合を示している。
【図４】図１の窓装置の縦断面図であり、上側の開閉体が全開状態（下側の開閉体は固定状態）にある場合を示している。
【図５】図１の窓装置の縦断面図であり、下側の開閉体が開放可能状態（上側の開閉体が開放状態）にある場合を示している。
【図６】図３の部分拡大図である。
【図７】図４の部分拡大図である。
【図８】図５の部分拡大図である。
【図９】下側の開閉体に対応する窓装置の横断面図であり、上図は第２障子と連結桿との係止状態を示し、下図は連結桿の下方への移動規制状態を示している。
【図１０】下側の開閉体を開放した状態を示す横断面図である。
【符号の説明】
【００３６】
２  竪枠
６  第１障子
７  第２障子
８  ストッパ
９  ストッパ受け
１０  操作つまみ
１１  係止突起
１２  係止溝
６３Ａ  連結桿
Ｔ１  第１位置にある連結桿の上端
Ｂ１  第１位置にある連結桿の下端
Ｔ２  第２位置にある連結桿の上端
Ｂ２  第２位置にある連結桿の下端
Ｔ３  第３位置にある連結桿の上端
Ｂ３  第３位置にある連結桿の下端
【図１】
2010144436.tif 000003
【図１Ａ】
2010144436.tif 000004
【図２】
2010144436.tif 000005
【図３】
2010144436.tif 000006
【図４】
2010144436.tif 000007
【図５】
2010144436.tif 000008
【図６】
2010144436.tif 000009
【図７】
2010144436.tif 000010
【図８】
2010144436.tif 000011
【図９】
2010144436.tif 000012
【図１０】
2010144436.tif 000013